(57)【特許請求の範囲】
【請求項１】
複数のピース部と，それらを保持するフレーム部とを有する多ピース基板を提供する提供元の情報処理装置において，
提供元で保有するフレーム部およびピース部およびそれらの組み合わせの情報を記憶する部品記憶手段と，
前記部品記憶手段の情報に基づいて，提供元で提供可能なフレーム部およびピース部およびそれらの組み合わせを表示する在庫画面を，提供先の情報処理装置に提供する在庫画面提供手段と，
前記在庫画面で表示した組み合わせの多ピース基板を発注する機会を付与する発注画面を，前記提供先の情報処理装置に提供する発注画面提供手段と，
を有することを特徴とする情報処理装置。
【請求項２】
請求項１に記載する情報処理装置において，
前記在庫画面提供手段は，前記提供先への提供が可能なフレーム部の空き個数も前記在庫画面に表示することを特徴とする情報処理装置。
【請求項３】
請求項２に記載する情報処理装置において，
前記在庫画面提供手段は，前記提供先に納品済みであって未返却のフレーム部の数も前記在庫画面に表示することを特徴とする情報処理装置。
【請求項４】
請求項１から請求項３のいずれか１つに記載する情報処理装置において，
前記提供先への提供が可能なフレーム部について，追加製作すべき旨を指示する機会を，前記提供先の情報処理装置に付与する追加注文付与手段を有することを特徴とする情報処理装置。
【請求項５】
複数のピース部と，それらを保持するフレーム部とを有する多ピース基板を提供する提供元の情報処理装置と，前記提供元の情報処理装置と接続し，前記提供元の情報処理装置に多ピース基板を発注する提供先の情報処理装置と，を有する多ピース基板の取引システムにおいて，
前記提供元の情報処理装置は，
提供元で保有するフレーム部およびピース部およびそれらの組み合わせの情報を記憶する部品記憶手段と，
前記部品記憶手段の情報に基づいて，前記提供元で提供可能なフレーム部およびピース部およびそれらの組み合わせを表示する在庫画面を，前記提供先の情報処理装置に提供する在庫画面提供手段と，
前記在庫画面で表示した組み合わせの多ピース基板を発注する機会を付与する発注画面を，前記提供先の情報処理装置に提供する発注画面提供手段と，
を有することを特徴とする多ピース基板の取引システム。
【発明の詳細な説明】
【０００１】
【発明の属する技術分野】
本発明は，１枚の基板中に複数のピース部が含まれる多ピース基板を，提供元から提供先へ提供する取引システム，および取引システムに利用される情報処理装置に関するものである。
【０００２】
【従来の技術】
配線基板には，１枚の基板中に複数のピース部が含まれる多ピース基板がある。多ピース基板は一般的に，回路等を内蔵し実際に最終製品に組み込まれるピース部の他，各ピース部を保持して全体で１枚の基板として取り扱うためのフレーム部を含んでいる。従来は，各ピース部とフレーム部との全体を一体的に製造し，提供先へ提供するのが一般的であった。
【０００３】
【発明が解決しようとする課題】
しかしながら，前記した従来の多ピース基板の提供方法には，次のような問題点があった。すなわち，多ピース基板のうちフレーム部は，最終製品となるものではない。このような部分を一体的に製造していたので原材料の利用効率が悪かった。このことは，提供先でフレーム部が大量の廃棄物となることをも意味した。また，板厚を薄くすると多ピース基板全体の強度が落ちるため，反りやネジレが生じやすいという問題があった。また，ピース部自体の仕様と，フレーム部の全体形状等のバリエーションとにより，非常に多くの種類の多ピース基板に合わせてプロセス設計する必要があった。
【０００４】
本発明は，前記した従来の技術が有する問題点を解決するためになされたものである。すなわちその課題とするところは，原材料を効率よく利用でき，ピース部の厚さと無関係に全体の強度を設定でき，最小限の製造バリエーションで多様な需要に応えられる情報処理装置および取引システムを提供することにある。
【０００５】
【課題を解決するための手段】
この課題の解決を目的としてなされた本発明に係る情報処理装置は，複数のピース部と，それらを保持するフレーム部とを有する多ピース基板を提供する提供元の情報処理装置であって，提供元で保有するフレーム部およびピース部およびそれらの組み合わせの情報を記憶する部品記憶手段と，部品記憶手段の情報に基づいて，提供元で提供可能なフレーム部およびピース部およびそれらの組み合わせを表示する在庫画面を，提供先の情報処理装置に提供する在庫画面提供手段と，在庫画面で表示した組み合わせの多ピース基板を発注する機会を付与する発注画面を，提供先の情報処理装置に提供する発注画面提供手段とを有することを特徴としている。本発明の情報処理装置では，フレーム部とピース部とのそれぞれについての在庫さえ持っていればよく，多ピース基板全体としての在庫を持つ必要はない。また，フレーム部とピース部との組み合わせは，物理的に組み合わせ可能でさえあればよく，新たな組み合わせであっても容易に対応できる。
【０００６】
この多ピース基板の提供方法を実施するに際しネットワーク技術を利用して，当該提供先への提供が可能なフレーム部およびピース部の組み合わせを当該提供先の表示画面に表示し，表示した組み合わせの多ピース基板を発注する機会を当該提供先に付与し，当該提供先からの発注に応じて，当該組み合わせの多ピース基板をその提供先に提供することとするとよい。このようにすると，提供先としては，自己の画面上で，入手可能なフレーム部とピース部との組み合わせを確認しつつ，簡単に発注することができる。なお，このためには，フレーム部とピース部との組み合わせ可能性を記録したデータベースや，それらの提供先ごとの提供の可否を記録したデータベースを備えることが望ましい。
【０００７】
ここにおいて，当該提供先への提供が可能なフレーム部の空き個数をも当該提供先の表示画面に表示した上で，多ピース基板の発注の機会を当該提供先に付与することが望ましい。フレーム部の「空き個数」とは，提供元側における当該フレーム部の在庫数のことである。すなわち，提供先からの新たな発注を受け付けるに際し，空き個数の範囲内ならば，直ちに受注が可能である。これに対し，空き個数を超える分の数量については，何らかの措置が必要となる。納期も余計にかかることとなる。このことはむろん，提供先から見ても大いなる関心事である。言い替えると，空き個数の情報を合わせて提示することにより，容易に受注できる範囲を提供先に示すことができるのである。
【０００８】
ここにおいて，当該提供先への提供が可能なフレーム部について，追加製作すべき旨を指示する機会を当該提供先に付与することとしてもよい。空き個数が足りない場合には，かかる手段により，不足分を補うことができる。
【０００９】
また，本発明の他の態様に係る多ピース基板の提供方法では，提供先で多ピース基板からピース部を取り除いた残りであるフレーム部を提供元に回収し，回収したフレーム部を再利用して，提供先に供給する新たな多ピース基板の製造に供する。さらに，前述のように，提供可能なフレーム部とピース部との組み合わせを提供先に提示して発注させることとすれば，受注の効率化も合わせて実現される。
【００１０】
すなわち本方法では，提供先にて発生した空のフレーム部を提供元に回収し，新たに製造する多ピース基板のフレーム部として再利用するのである。これにより，フレーム部を廃棄物にすることなく繰り返し利用できる。ここで再利用は，回収したフレーム部をそのまま用い，ピース部を取り除いた空き地に新たなピース部を取り付ける方式でもよいし，回収したフレーム部を一旦鋳つぶして，新たなピース部とともに型成型して多ピース基板となす方式でもよい。
【００１１】
この場合には，提供可能なフレーム部およびピース部およびそれらの組み合わせを提供先に提示する際，当該提供先に提供されて未回収であるフレーム部の個数を当該提供先の表示画面に表示することが望ましい。特に，前述した空き個数が足りない場合には，提供先側に存在しているフレーム部を提供元に回収すれば，空き個数はその分増えることになる。よって，未回収の個数を提供先に対して提示することにより，早期に回収できるような措置を提供先に対して促すことができるのである。
【００１２】
【発明の実施の形態】
以下，本発明を具体化した実施の形態について，添付図面を参照して詳細に説明する。本実施の形態は，基板製造メーカー（受注側メーカー，以下，「提供元」という）が遠隔地にある組み立てメーカー（発注側メーカー，以下，「客先」という）に対して，多ピース基板を販売する電子取引システムに，本発明に係る提供方法を適用したものである。
【００１３】
本形態に係るシステムは，図１に示すように，客先である組み立てメーカー１のＰＣ端末４と，提供元である基板製造メーカー２のＰＣ端末５とにより構成されている。そして両ＰＣ端末４，５は，公衆回線３により接続されている。組み立てメーカー１は，ＰＣ端末４を用いて基板製造メーカー２に対し，多ピース基板を発注することができる。基板製造メーカー２は，ＰＣ端末５を用いて受注の状況を把握し，多ピース基板を製造する。なお，組み立てメーカーは，複数あってもよい。
【００１４】
次に，本システムの動作について説明する。客先のＰＣ端末４および提供元のＰＣ端末５は，市販されている通常のパソコンである。そして，提供元には，客先のＰＣ端末４や自己のＰＣ端末５に表示する種々の画面データを用意しておく。そして，あらかじめ基板製造メーカー２が保有する多ピース基板のフレーム部品とピース部品との情報，または受注状況をデータベース等に保持しておく。ＰＣ端末４は，ＰＣ端末５にアクセスすることにより発注用の表示画面を表示することができる。すると，表示されてた情報を基に，組み立てメーカー１の担当者は，必要な基板のフレーム数とピース数を入力し，基板製造メーカー２に送信する。これが発注となる。次に，データを受信したＰＣ端末５は，自己の受注データベースに追加し，受注した旨をＰＣ端末４に送信する。これにより，多ピース基板の受注が完了する。
【００１５】
また，多ピース基板とは，一枚のフレームに複数枚のピースが含まれる基板のことである。図２は，多ピース基板の外観図である。この図２の場合，一枚のフレーム６に４枚のピース７が含まれている。通常，一枚のフレーム内に含まれるピースは，すべて同じ種類のものである。しかし，異なった種類のピースを含めることを妨げない。
【００１６】
次に，具体的表示画面に基づいて，多ピース基板の発注方法について説明する。以下に説明する画面は，客先のＰＣ端末４に表示するものである。まず，図３は，多ピース基板を基板製造メーカー２に対し注文するときに表示される先頭画面である。ここでは，ユーザ登録があるか否か，つまり，顧客として提供元に認証されているか否かを選択する。ユーザ登録がある場合は，「登録済みユーザ様」ボタンをマウスでクリックする。ユーザ登録がない場合は，「新規ユーザ様」ボタンをクリックする。「登録済みユーザ様」ボタンがクリックされた場合は，パスワード入力画面（図４）を表示し，「新規ユーザ様」ボタンがクリックされた場合は，ユーザ登録画面（図１１）を表示する。なお，選択方法は，マウスでクリックする他，タッチパネル機能を有しているＰＣであればボタンを押下することとしてもよい。なお，外国から発注する等の場合は，「Ｅｎｇｌｉｓｈ  ｐａｇｅ」の文字が下線とともに表示されている箇所をクリックする。このことにより，以下の図３から図１５までの表示画面が英語表記となり，日本語表記のできないパソコンや，日本語が解らないユーザでも利用可能になる。
【００１７】
次に，図３で，「登録済みユーザ様」ボタンをクリックした以降の表示画面について説明する。まず，ユーザの本人確認のためユーザＩＤとパスワードとの入力を求める。図４は，ユーザＩＤおよびパスワードを入力する画面である。この画面では，後述の在庫状況表示画面での表示をフレーム部品名で表示する（図５）か，もしくは，製品名で表示する（図９）かの選択をも行う。ユーザＩＤ，パスワードの入力と，在庫状況表示画面の表示選択とを行ったら「進む」の文字が下線とともに表示されている箇所をクリックする。「進む」の文字がクリックされた時点で，入力されたユーザＩＤおよびパスワードは提供元のＰＣ端末５に送信される。そして，当該データを受信した提供元のＰＣ端末５では，自己のデータベースの情報と照合する。登録されているユーザＩＤおよびパスワードであれば，客先のＰＣ端末４に，当該客先の在庫状況表示画面（図５もしくは図９）を表示する。もし，照合した結果，登録されていないユーザＩＤ，パスワードであった場合は，再度，ユーザＩＤおよびパスワードの入力を求める（図４）。
【００１８】
次に，在庫状況表示画面について説明する。図５は，図４の画面で「フレームで選択」を選択した場合の在庫状況表示画面である。在庫状況表示画面では，あらかじめ当該ユーザ向けに登録されたフレーム名を列挙する。そして，そのフレーム名毎に，受注済未納品数（弊社仕掛），組み立てメーカー１側にある在庫数（納品済未返却），基板製造メーカー２側にある在庫数（空フレーム数）を表示する。これにより，組み立てメーカー１では，基板製造メーカーにおけるフレームの在庫状況を把握することができ，発注するに際しての参考とすることができる。例えば，新たな発注を行う場合に，空きフレーム数の範囲内ならば，直ちに受注が可能だからである。これに対し，空きフレーム数を超える場合は，何らかの措置が必要なのである。また，納品済未返却のものがあれば，それを返却することにより空きフレームを確保することができるのである。
【００１９】
さらに，フレーム名が下線とともに表示されている箇所をダブルクリックすることにより，当該フレーム名の詳細画面（図６）を表示する。この画面では，選択したフレーム名“ｆｒａｍｅ＃”が使用される製品名を列挙する。そして図５と同様の各項目，受注済未納品数（弊社仕掛），組み立てメーカー１側にある在庫数（納品済未返却），基板製造メーカー２側にある在庫数（空フレーム数）をその製品名毎に表示する。これにより，組み立てメーカー１では，当該フレームについて製品毎の発注状況を把握することができ，より詳細な検討をすることができる。
【００２０】
次に，フレームの詳細画面（図６）で，製品名が下線とともに表示されている箇所をダブルクリックすると，見積もり画面（図７）を表示する。この画面では，フレーム名と製品名とを基に，受注可能な数量，納期，価格を表示する。価格は納期によって異なり，納期が短いほど高価になる。この画面で組み立てメーカー１の在庫管理者は，発注するための必要な数量を入力する。必要な入力が終わったら，「発注」の文字が下線とともに表示されている箇所ををクリックする。また，フレームを追加作製させる場合は，「このフレームのプロパティ」の文字が下線とともに表示されている箇所をクリックすることにより，フレームのプロパティ画面を表示し，フレームの追加注文を行う。以上により，発注のための作業は終了する。
【００２１】
本実施の形態での空きフレーム数が足らない場合に採りうる措置としては，３通り考えられる。まず，第一の措置は，未返却のフレームを返却することである。未返却のフレーム数は，前述の在庫状況表示画面（図５，図９）等で確認可能である。例えば，図５の納品済未返却のうち，ピースをすべて使用したフレームが返却可能な枚数である。第二の措置は，当該フレームの代品を使用することである。この場合，選択した製品を搭載可能な他のフレーム一覧を表示し，その中から他のフレームを選択する。図８は，現在提供できるフレームの一覧を表示する画面である。この画面では，代用品となりうるフレームの一覧を表示する。ここに表示されるフレームには，すべての顧客に対して共通に使用しているフレームと，当該顧客専用に使用しているフレームとの二通りある。組み立てメーカー１では，表示されているフレームのサイズ，形状，ピース数，材質，厚さを検討し，代用品となるフレームを選択することができる。その際に，フレーム名が下線とともに表示されている箇所をダブルクリックすると，詳細仕様画面へ移る。その画面においては，選択したフレームをそのままの形で使用するか，もしくは改変して使用するか等の操作ができる。もし，改変された場合は，当該改変後のフレームを新規に登録することができる。また，「新規に作成」の文字が下線とともに表示されている箇所をクリックすることにより，フレームを全く新規に作成し登録する画面へ移ることができる。ここでいう新規に登録とは，提供元に新規のフレームの作製を依頼することである。第三の措置は，当該フレームの追加作製を発注することである。発注の方法は，前述したようにフレームのプロパティ画面で行うことができる。
【００２２】
次に，図４に戻り，「製品で選択」を選択した場合の在庫状況表示画面（図９）について説明する。「フレームで選択」を選択した場合の在庫状況表示画面（図５）と異なるところは，あらかじめ当該ユーザ向けに登録された製品名を列挙することである。そして，その製品名毎に，受注済未納品数（弊社仕掛），組み立てメーカー１側にある在庫数（納品済未返却），基板製造メーカー２側にある在庫数（空フレーム数）を表示するところは，図５と同様である。これにより，組み立てメーカー１では，基板製造メーカーの製品毎の在庫状況を把握することができ，発注するに際しての参考とすることができる。また，「フレーム名から」の文字が下線とともに表示されている箇所をダブルクリックすると，フレーム名毎の在庫状況表示画面（図５）に切り替えることができる。なお，逆に図５の「製品名から」の文字が下線とともに表示されている箇所をダブルクリックして，図９に切り替えることもできる。
【００２３】
さらに，製品名をダブルクリックすることにより，当該製品名の詳細画面（図１０）を表示する。この画面では，選択した製品名“ｐｒｏ＃”が使用するフレーム名を列挙する。そして図９と同様の各項目，受注済未納品数（弊社仕掛），組み立てメーカー１側にある在庫数（納品済未返却），基板製造メーカー２側にある在庫数（空フレーム数）をその製品名毎に表示する。これにより，組み立てメーカー１では，当該フレームについて製品毎の発注状況を把握することができ，より詳細な検討をすることができる。さらに，フレーム名をダブルクリックすると，見積もり画面（図７）を表示する。以下，図７により発注することができる。
【００２４】
次に，図３に戻り，「新規ユーザ様」ボタンをクリックした以降の表示画面（図１１）について説明する。図１１では，ユーザ登録に必要な情報の入力を行うための画面である。ユーザ登録に必要な情報とは，会社名，部署名，所在地，担当者名，取引口座等のオンライントレードに不可欠な情報のことである。すべての情報の入力が終わったら，「進む」の文字が下線とともに表示されている箇所をクリックする。これにより，ユーザ登録のための作業はすべて終了し，入力情報は提供元のＰＣ端末５に送信される。作業を終了すると，客先のＰＣ端末４では図１２の確認画面を表示する。
【００２５】
情報を受信した提供元では，認証次第，自己のデータベースに対して，新しいユーザ情報の登録を行う。当該登録作業が終了すると，その旨とユーザＩＤ，パスワードとを書面で通知する。これにより，次回アクセス時には，登録されたユーザＩＤとパスワードとで基板の発注を行うことができるようになる。
【００２６】
次に，基板製造メーカー側での，受注管理について説明する。以下に説明する画面は，提供元のＰＣ端末５に表示するものである。まず，受注状況の全体を確認するためのフレーム品受注および製造状況一覧画面（図１３，図１４，図１５）を表示する。この画面は，ロットＩＤ（受注毎に付される識別子）毎に，ユーザＩＤ，製品名，フレーム名，仕掛数，納期，未回収フレーム数，空きフレーム数，進捗を表示する項目を有している。表示順はロットＩＤの登録番号により行うこととするが，各項目の文字が下線とともに表示されている箇所をクリックすることによって，並べ替えを行うことが可能である。これにより，表示順を管理者が着目している項目順に変更でき，受注状況の把握を容易にすることができる。また，各ロットＩＤの文字が下線とともに表示されている箇所をクリックすることによって，当該ロットのコマンド画面を表示することができる。ここでいうコマンド画面とは，発注先もしくは製造現場に対して進捗等を伝えるためのメール機能をもった画面のことである。
【００２７】
以上詳細に説明したように，本実施の形態に係る多ピース基板を販売する電子取引システムでは，公衆回線３を利用して，客先への提供が可能なフレーム部およびピース部の組み合わせを，客先のＰＣ端末４の表示画面に表示することとしている。そして，客先である組み立てメーカー１は表示された組み合わせの多ピース基板を発注し，提供元である基板製造メーカー２は当該客先からの発注に応じて，当該組み合わせの多ピース基板をその客先に提供することとしている。これにより，提供元ではフレーム部とピース部とのそれぞれについての在庫さえ持っていればよく，多ピース基板全体としての在庫を持つ必要がない。
【００２８】
また，空きフレーム数を表示することにより，容易に受注できる範囲を客先に示すことができることとしている。ここにおいて，客先への提供が可能なフレーム部について，追加製作すべき旨を指示する機会を与えている。このため，空きフレーム数が足りない場合には，不足分を補うことができるのである。また，客先に当該フレーム部に関しての代用品一覧を表示することとしている。これにより，早期に納品できるような措置を客先に促すことができるのである。また，当該客先に提供されて未回収であるフレーム部の個数を当該客先の表示画面に表示することとしている。もし，前述した空き個数が足りない場合には，客先側で未回収となっているフレーム部を提供元に回収すれば，空き個数は増えることとなる。これにより，早期に回収できるような措置を客先に対して促すことができるのである。
【００２９】
なお，本実施の形態は単なる例示にすぎず，本発明を何ら限定するものではない。したがって本発明は当然に，その要旨を逸脱しない範囲内で種々の改良，変形が可能である。例えば，客先のＰＣ端末４に表示する画面データを提供元のＰＣ端末５に保持するのではなく，客先のＰＣ端末４にアプリケーションとしてインストールし，当該アプリケーションを通じて受注を行うことも可能である。また，ファイアウォール等の公知セキュリティ技術により，不正なアクセスを禁止することもできる。
【００３０】
【発明の効果】
以上の説明から明らかなように本発明によれば，原材料を効率よく利用でき，ピース部の厚さと無関係に全体の強度を設定でき，最小限の製造バリエーションで多様な需要に応えられる情報処理装置および取引システムを提供することができる。
【図面の簡単な説明】
【図１】実施の形態に係る部品発注システムの構成図である。
【図２】多ピース基板の平面図である。
【図３】多ピース基板発注アプリケーションの先頭画面である。
【図４】ユーザＩＤおよびパスワード入力画面である。
【図５】在庫状況表示（フレーム選択時）画面である。
【図６】フレーム名毎の詳細情報表示画面である。
【図７】価格および見積もり表示画面である。
【図８】現在提供できるフレームの一覧表示画面である。
【図９】在庫状況表示（製品名選択時）画面である。
【図１０】製品名毎の詳細情報表示画面である。
【図１１】新規ユーザ登録入力画面である。
【図１２】新規ユーザ登録確認画面である。
【図１３】フレーム品受注および製造状況一覧表示（ユーザＩＤ等）画面である。
【図１４】フレーム品受注および製造状況一覧表示（納期等）画面である。
【図１５】フレーム品受注および製造状況一覧表示（空きフレーム数等）画面である。
【符号の説明】
１    組み立てメーカー
２    基板製造メーカー
３    公衆回線
４    ＰＣ端末
５    ＰＣ端末
６    フレーム
７    ピース
【図１】
0004694045.tif 000002
【図２】
0004694045.tif 000003
【図３】
0004694045.tif 000004
【図４】
0004694045.tif 000005
【図５】
0004694045.tif 000006
【図６】
0004694045.tif 000007
【図７】
0004694045.tif 000008
【図８】
0004694045.tif 000009
【図９】
0004694045.tif 000010
【図１０】
0004694045.tif 000011
【図１１】
0004694045.tif 000012
【図１２】
0004694045.tif 000013
【図１３】
0004694045.tif 000014
【図１４】
0004694045.tif 000015
【図１５】
0004694045.tif 000016